(57)【要約】【課題】  あるシナリオの特定のシーンに対応した映像を撮影しようとした場合、これから撮影しようとしているシーンと同一のシーン情報が関連付けられている他の映像を探し出して確認するのは不便であった。【解決手段】  そこで、撮像装置は、撮像により得られる映像のシーン情報を設定する設定手段と、設定手段での設定の後、撮影により得られた映像に対して、設定手段で設定されたシーン情報を関連付けて記録媒体に記録する記録手段と、設定手段での設定がなされた状態で、記録媒体に記録されている映像を再生する場合に、記録媒体に記録されている映像のうち、設定手段で設定されているシーン情報を有する映像を再生するように制御する制御手段を有する。【選択図】  図５
2015109510.tif 000002
【特許請求の範囲】
【請求項１】
撮像により得られる映像のシーン情報を設定する設定手段と、
前記設定手段での設定の後、撮影により得られた映像に対して、当該設定手段で設定されたシーン情報を関連付けて記録媒体に記録する記録手段と、
前記設定手段での設定がなされた状態で、前記記録媒体に記録されている映像を再生する場合に、前記記録媒体に記録されている複数の映像のうち、前記設定手段で設定されているシーン情報を有する映像を再生するように制御する制御手段を有することを特徴とする撮像装置。
【請求項２】
さらに、複数のシーン情報を含むシナリオデータを記憶する記憶手段を有し、
前記シナリオデータにおいて前記複数のシーンは所定の順番が定義されていることを特徴とする請求項１に記載の撮像装置。
【請求項３】
前記設定手段は、前記シナリオデータを前記記憶手段から読み出して、前記シナリオデータに含まれる前記複数のシーン情報の中から、撮像する映像に関連づけるシーンを選択することを特徴とする請求項２に記載の撮像装置。
【請求項４】
さらに、予めシーン情報を設定する第１の撮影モードと、予めシーン情報を設定しない第２の撮影モードとを選択する選択手段を有し、
前記制御手段は、
前記第１の撮影モードが選択されているときに、前記記録媒体に記録されている映像を再生する場合には、前記記録媒体に記録されている映像のうち、前記設定手段で設定されているシーン情報を有する映像を再生するように制御し、
前記第２の撮影モードが選択されているときに、前記記録媒体に記録されている映像を再生する場合には、前記記録媒体に記録されている映像のうち、最後に撮影された映像または、最後に再生していた映像を再生するように制御することを特徴とする請求項２または３に記載の撮像装置。
【請求項５】
前記制御手段は、前記撮像装置が撮影モード中に、前記設定手段での設定がなされた状態で記録されている映像を再生する場合に、前記記録媒体に記録されている映像のうち、前記設定手段で設定されているシーン情報を有する映像のうち最後に記録された映像を再生するように制御することを特徴とする請求項２乃至４のいずれか一項に記載の撮像装置。
【請求項６】
前記制御手段は前記撮像装置が撮影モード中に、前記設定手段での設定がなされた状態で記録されている映像を再生する場合であって、且つ前記記録媒体に前記設定手段で設定されているシーン情報を有する映像が記録されていない場合には、設定されているシーンを、前記所定の順番に従って遡ったシーンの映像を再生するように制御する請求項２乃至５のいすれか１項に記載の撮像装置。
【請求項７】
前記制御手段は、前記撮像装置が撮影モード中に、前記設定手段での設定がなされた状態で記録されている映像を再生する場合に、前記記録媒体に記録されている映像のうち、前記設定手段で設定されているシーンよりも後のシーン情報を有する映像を再生するように制御することを特徴とする請求項２乃至６のいずれか一項に記載の撮像装置。
【請求項８】
さらに前記記録媒体に記録されている映像にはランク情報が付与されており、
前記撮像装置で再生する映像の基準としてのランク情報を指定する指定手段とを有し、
前記制御手段は、前記指定手段手段で指定されたランク情報に基づいて、前記記録媒体に記録されている映像のうちから再生対象を選択することを特徴とする請求項１乃至７のいずれか１項に記載の撮像装置。
【請求項９】
前記映像は、１回の撮影毎に１つのファイルとして前記記録媒体に記録されており、前記ファイルには、前記設定手段で設定されたシーン情報が映像データと共に記録されることを特徴とする請求項１乃至８のいずれか１項に記載の撮像装置。
【請求項１０】
撮像により得られる映像のシーン情報を設定する設定工程と、
前記設定工程での設定の後、撮影により得られた映像に対して、当該設定工程で設定されたシーン情報を関連付けて記録媒体に記録する記録工程と、
前記設定工程での設定がなされた状態で、前記記録媒体に記録されている映像を再生する場合に、前記記録媒体に記録されている映像のうち、前記設定工程で設定されたシーン情報を有する映像を再生するように制御する制御工程を有することを特徴とする撮像装置の制御方法。
【発明の詳細な説明】
【技術分野】
【０００１】
本発明は、映像を撮影する撮像装置に関するものであり、特に記録した映像を再生する方法に関する。
【背景技術】
【０００２】
近年、デジタルビデオカメラや、動画撮影機能付きデジタルビデオカメラ、動画撮影機能付き携帯電話の普及により、誰でも動画像を簡単に記録できるようになってきた。しかし、動画は計画を立てずに撮影をすると、再生したときに映像の順番に違和感があったり、流れをつなぐ場面が抜けていたりと、簡単に出来栄えの良い作品が作れるわけではない。そのため、ある程度ストーリーに沿って計画的に撮影する事がよい出来栄えの作品を撮影する上では重要となる。
【０００３】
しかし、計画的な撮影をするためには経験と技術が必要であり、誰でも容易に行う事ができるわけではなかった。
【０００４】
このような背景において、撮影時に、一連のシーンで構成されるシナリオを表示し、各シーンにおいて、どのようなテイクを撮影すれば良いかをガイドする機能が提案されている。（特許文献１）
この文献では、撮影した映像情報に、シナリオ中の各シーンに対応したシーン番号を関連付けて記録媒体している。
【０００５】
また、一連の記録動作を終了した後に再生動作を開始する場合、最新の一連の記録により記録された部分の先頭をアクセスし、この一連の記録により記録された部分の先頭から再生を開始させるディスク記録再生装置が提案されている。（特許文献２）
【先行技術文献】
【特許文献】
【０００６】
【特許文献１】特開２００６−７４４０６号公報
【特許文献２】特開平５−３２５５０８号公報
【発明の概要】
【発明が解決しようとする課題】
【０００７】
しかしながら、特許文献１では、これから撮影しようとしている映像が作品の流れとして適切なものであるかを確認するためには、一度再生モードに入れてそれまでに撮影した映像を再生し、再び撮影モードに戻してから撮影を行う必要があった。この操作は煩わしく、またカメラの処理性能によっりはレスポンスが悪くなるという課題があった。
【０００８】
これに対して、特許文献２の機能を使うと、直前に記録した映像を容易に確認できるようになる。ところが、あるシナリオの特定のシーンに対応した映像を撮影しようとした場合、これから撮影しようとしているシーンと同一のシーン情報が関連付けられている他の映像を探し出して確認するのは不便であった。
【０００９】
また、あるシーンに対して複数回の映像を撮影する場合（各映像をテイクとも呼ぶ）があり、また、その撮影の順番は、シナリオのシーンの順番とは異なる場合が有る。したがって、特許文献２の様な技術が有っても、今から撮影しようとするシーンと同一のシーンの別のテイクの映像を探すのは非常に面倒な操作を必要とした。
【課題を解決するための手段】
【００１０】
本発明の撮像装置は、撮像により得られる映像のシーン情報を設定する設定手段と、設定手段での設定の後、撮影により得られた映像に対して、設定手段で設定されたシーン情報を関連付けて記録媒体に記録する記録手段と、設定手段での設定がなされた状態で、記録媒体に記録されている映像を再生する場合に、記録媒体に記録されている映像のうち、設定手段で設定されているシーン情報を有する映像を再生するように制御する制御手段を有することを特徴とする。
【発明の効果】
【００１１】
本発明によれば、以前に撮像された映像のうち、撮像の為に設定しているシーンに対応した映像の確認を容易に行うことができる。
【図面の簡単な説明】
【００１２】
【図１】デジタルビデオカメラの構成例を表すブロック図
【図２】通常モードとシナリオモードの切り替え例
【図３】通常モードとシナリオモードの動作の違い
【図４】通常モードとシナリオモードの動作を表すフローチャート
【図５】通常モードとシナリオモードのレックレビューの動作の違い
【図６】通常モードとシナリオモードのレックレビューの動作を表すフローチャート
【図７】シナリオモードで前後のテイクをレックレビューする動作の例
【図８】シナリオモードで前後のテイクをレックレビューする動作を表すフローチャート
【図９】再生レートの設定画面の例
【図１０】再生レートとレックレビューの動作の関係
【図１１】再生レートの連動したレックレビューの動作を表すフローチャート
【発明を実施するための形態】
【００１３】
＜第１の実施形態＞
図１は、本発明を適用した撮像装置である、デジタルビデオカメラの構成例を示すブロック図である。
【００１４】
図１において、撮像部（１０１）は、光学系レンズ、ＣＣＤ等の撮像素子、オートフォーカス機構、ズーム機構等からなる。撮像部（１０１）は、カメラ制御部（１０３）の指示に従い、被写界に対して焦点や光量等を調整し、レンズを通して結像された被写界の光学像を映像信号に変換し、カメラ信号処理部（１０２）に送出する。カメラ信号処理部（１０２）は、カメラ制御部（１０３）の指示に従い、前記映像信号に所定の信号処理を施して、記録媒体（１１１）へのデータの記録に適したデータを生成し記録系信号処理部（１０６に送出する。
【００１５】
操作部（１１０）の一部は、カメラ系に関する各種スイッチ、ダイヤル（ＡＦオン／オフ、ＡＥオート／ロック、プログラムＡＥ等）類から構成され、操作者からの指示をシステム制御部（１０９）を介してカメラ制御部（１０３）に送出する。カメラ制御部（１０３）は、マイクロコンピュータ等により構成され、システム制御部（１０９）、操作部（１１０）の指示等によりカメラ系全体を制御する。
【００１６】
信号処理部（１０５）は、記録系信号処理部（１０６）と再生系信号処理部（１０７）から構成され、システム制御部（１０９）の指示により、様々な記録・再生信号処理を行う。記録系信号処理部（１０６）は、カメラ信号処理部（１０２）から出力された信号に対して、所定の信号処理を施してシステム制御部（１０９）を介して記録媒体（１１１）への映像信号の記録を制御する。記録媒体（１１１）は、ハードディスク、ＤＶＤ、フラッシュメモリなどからなる。
【００１７】
再生系信号処理部（１０７）では、記録媒体（１１１）から映像信号や各種の情報を読みだし、再生や表示の為に、読みだしたデータに所定の処理を施す。
【００１８】
システム制御部（１０９）は、上述したデジタルビデオカメラの各種機能を総合的に制御するマイクロコンピュータ、制御プログラム、制御プログラムを格納する不揮発性メモリ、一時的に使用するデータを保管する揮発性メモリ等から構成される。
【００１９】
操作部（１１０）の一部は、ＶＴＲ系、及び装置全体に関する各種スイッチ（［↑］，［→］，［↓］，［←］，［ＳＥＴ］，［ＥＮＤ］，［ＰＲＩＮＴ］，［ＭＥＮＵ］，［ＰＬＡＹ］，［ＦＦ／ＲＥＷ］，［ＳＴＯＰ］，［ＳＴＡＲＴ／ＳＴＯＰ］等）類から構成される。操作者による操作部（１１０）への操作により、指示をシステム制御部（１０９）に送出することが出来る。操作部（１１０）に含まれる電源モードスイッチは、本体の電源モード（カメラ／切／ＶＴＲ）を選択するためのスイッチで、その状態をシステム制御部（１０９）に送出する。なお、この「カメラ」が選択されると、デジタルビデオカメラを撮影モードにし、撮像装置は一旦撮影待機状態になる。また「ＶＴＲ」が選択されると、デジタルビデオカメラを再生モードにする。
【００２０】
表示装置（１０４）は、信号処理部（１０５）で処理された映像信号を映し出すと共に、システム制御部（１０９）からの指示により、文字や記号による本体の各種情報の表示や、メニュー等の各種画面を映像に重畳して表示する装置である。
【００２１】
図１のデジタルビデオカメラには、撮影モード中の動作のモードとして通常モードとシナリオモードがある。通常モードとは、後述するようなシーンの設定を行わずに撮像して映像を記録することが出来る。このモードで映像の再生を指示した場合には、最後に撮影された映像、または最後に再生していた映像を記録媒体１１１から読み出して、表示部に表示させる。一方、シナリオモードは、シナリオ情報に含まれる複数のシーンのうちから所望のシーンを予め設定して撮影を行い、得られた映像には、設定したシーンを示す情報を関連付けて記録媒体に記録することが出来る。そして、このシナリオモードでシーンの設定が行われた状態で映像の再生を指示した場合には、記録媒体に記録されている映像のうち、設定手段で設定されているシーン情報を有する映像を再生することが出来る。本実施例においては、設定されているシーン情報を有する映像のうちで最後に撮影されたシーンの映像を再生し、表示部に表示する。
【００２２】
シナリオ情報は、テーマ毎に定められた複数のシーンから構成されており、シナリオ情報に従って一連のシーンを順次再生することで、ストーリー性のある作品を作ることが出来る。シーンとは作品を構成する個々の要素である。また、本実施例では、１回の撮影により得られ、記録した個々の映像のことをテイクと呼び、各シーンは複数のテイクで構成することが出来る。
【００２３】
本実施例では、１回の撮影毎に（すなわち１テイク毎に）１つの動画像ファイルが記録媒体に記録される。シナリオモードにおいては、各動画像ファイルに、シナリオに関する情報や選択されたシーンの情報を記録することによって、各テイクの映像データが、選択されたシーンやシナリオと関連づけられる。
【００２４】
次に、通常モードからシナリオモードに設定を変更する方法について記す。
【００２５】
図２は、図１のデジタルビデオカメラにおいて、通常モードからシナリオモードへの移行時の操作画面を示したものである。
【００２６】
図２（１）は、通常モード時の撮影待機中の画面の例である。この状態から操作部（１１０）にあるＭＥＮＵキーを押下すると、図２（３）のようなメニュー画面が表示される。この中にある「シナリオモード」を選択すると、図２（３）のシナリオのテーマを選択する画面が表示される。画面中央の２０１は、選択しようとしてるテーマを表している。テーマには、例えば「旅行」「キッズ」「スポーツ」などがある。テーマとして「旅行」を選択すると、次に図２（４）の画面が表示され、ユーザは、この中からこれから撮影しようとする撮影シーンを選択する。図２（４）において、２０２はシーンの名前を表し、２０３はシーン毎に記録されているテイク数を表す。ここで、シーンとして「旅の仲間を紹介！」を選択すると、図２（５）のように撮影待機状態に戻る。通常モードと異なることを表すために、画面内に選択しているシーン名を表示している（２０４）。
【００２７】
図２（５）で映像を記録をすると、テイク番号、モード情報（通常モード／シナリオモード）、テーマ種別（例：旅行）、シーン種別（例：旅の仲間を紹介）、再生レーティング（再生時のレベルの設定）などの情報が映像とともに記録媒体に記録される。また、１回の撮影毎に、選択されたテーマにおける総テイク数や、シーン毎のテイク数が映像の記録とともに更新される。
【００２８】
なお、テイク番号は、記録媒体に記録されている各映像とは重複しないシリアル番号であり、１回の撮影毎にインクリメントされる番号である。
【００２９】
なお、上記のシナリオを定義する情報は、テーマ毎にシステム制御部（１０９）内の不揮発性メモリに保持されている。システム制御部（１０９）はこのシナリオデータを読み出し、図２（３）の様に表示する。
【００３０】
シナリオデータで管理する情報としては、テーマ種別としてのテーマ名や、シーン種別としてのシーン名、さらに各シーンの解説分を記録している。なおシーン種別として、シーン名と共に、不図示のシーン番号の情報も定義しており、シナリオに従って再生する時には、このシーン番号順で再生される。
【００３１】
シナリオモードから通常モードに戻る場合は、再び図２（２）のメニュー画面を開いて、シナリオモードを解除する。
【００３２】
次に、図３を使って通常モードとシナリオモードの、記録／再生動作の違いについて説明する。
【００３３】
図３（１）は、通常モードで映像を記録したときのテイクの流れと、再生するテイクの流れを表している。ここでは、Ｔａｋｅ１からＴａｋｅ６まで映像を記録したものとする。通常モードの場合、記録した順番にテイクを再生するため、最初から再生を行う場合には、図３（１）のように、記録順と再生順は同じになる。
【００３４】
図３（２）は、シナリオモードで映像を記録したときのテイクの流れと、再生するテイクの流れを表している。ここでは、Ｔａｋｅ１からＴａｋｅ６まで映像を、シーンをＳｃｅｎｅ−０１からＳｃｅｎｅ−０３のいずれかシーンを設定して記録したものとしている。シナリオモードでは、再生時はシーンの順番が最も優先され、続いて記録した順番が優先される。本例の場合、Ｓｃｅｎｅ−０１から再生されることになり、その中のＴａｋｅ１とＴａｋｅ４のうち、記録した順の早いＴａｋｅ１が先頭テイクとして再生される。続いてＴａｋｅ４が再生される。以降、同様にしてＳｃｅｎｅ−０２、Ｓｃｅｎｅ−３の順に、Ｔａｋｅ３、Ｔａｋｅ２、Ｔａｋｅ５、Ｔａｋｅ６の順にテイクが再生される。
【００３５】
図４は、図３にある通常モードとシナリオモードの動作のうち、それぞれの再生時の動作を実現するための動作のフローを示すものである。
【００３６】
再生を開始すると（Ｓ３０１）、シナリオモードか否かを判定する（Ｓ３０２）。シナリオモードではない場合、すなわち通常モードの場合は、先頭から再生を始めるために、再生テイク番号を１にセットする（Ｓ３０３）。その後テイクの再生を開始し（Ｓ３０４）、全てのテイクの再生が終了するまで、再生テイクを更新していく（Ｓ３０４、Ｓ３０５）。
【００３７】
一方、Ｓ３０２においてシナリオモードと判定された場合は、先頭シーンから再生するために再生シーンを１にする（Ｓ３０７）。そのシーン内にテイクがあるかどうかを確認し（Ｓ３０８）、無い場合は次のシーンに進む（Ｓ３１５）。テイクがある場合は、各テイクのて行く番号を取得し（Ｓ３０９）、その中で最も小さいテイク番号、すなわち今選択されているシーンで記録されたテイクのうち、最初に記録したテイクを、再生テイクとして選択して（Ｓ３１０）、再生する（Ｓ３１１）。シーン内の全てのテイクの再生が終了していなければ（Ｓ３１２）、同一シーン内にある次のテイクを再生する（Ｓ３１３、Ｓ３１１）。同一シーン内の全てのテイクの再生が終了している場合は（Ｓ３１２）、全てのシーンの再生が終了しているかどうかを確認し（Ｓ３１４）、終了していなければ次のシーンを取得して（Ｓ３１５）、全てのシーンのテイクの再生が終了するまで再生を繰り返す。
【００３８】
以上が、通常モードとシナリオモードを備えたデジタルビデオカメラの基本的な動作に関する説明である。
【００３９】
次に、レックレビューと呼ばれる機能について説明する。
【００４０】
レックレビューとは、カメラ撮影モードのまま、指定した映像を再生する機能のことである。再生モードにして再生するよりも簡単な操作で記録した内容を確認することができる、という特徴がある。
【００４１】
特に現在シナリオモードで撮影行う場合に、再生する対象となるテイクの選択に特徴が有る。
【００４２】
具体的には、設定しているシーンと同一のシーン情報を有する映像（テイク）のうち、最後に記録したテイクを選択して再生する。この時、選択されたテイク全てを再生しても良いし、そのテイクの最後の数秒間（例：４秒間）だけ再生しても良い。また、どの再生形態にするかは、メニューなどの設定により切り替え可能に設計しておいても良い。
【００４３】
以下の実施例においては、レックレビューの対象となるテイクの選択方法について、特徴となる動作について説明をする。
【００４４】
本実施形態は、通常モードとシナリオモードを備えたデジタルビデオカメラにおける、レックレビューの動作の例である。
【００４５】
図５（１）の上段は、通常モードで４テイク記録し、Ｔａｋｅ５を記録するために待機している状態を表している。このタイミングでレックレビューを実行したときの動作を表すのが、下段の図である。通常モードでのレックレビューは、直前に記録した映像を再生する。この場合はＴａｋｅ４が再生対象になる。
【００４６】
一方、図５（２）の上段は、シナリオモードで４テイク記録し、Ｔａｋｅ５を記録するために待機している状態を表している。Ｔａｋｅ１はＳｃｅｎｅ−０１、Ｔａｋｅ２はＳｃｅｎｅ−０３、Ｔａｋｅ３はＳｃｅｎｅ−０２、Ｔａｋｅ４はＳｃｅｎｅ−０１となるように記録されている。Ｔａｋｅ５の記録待機状態では、Ｓｃｅｎｅ−０３の設定を選んだ状態としており、このときにレックレビューを実行したときの動作を表しているのが、図５（２）中段のレックレビュー（１）の図である。この場合、Ｓｃｅｎｅ−０３を選択しているため、再生の対象とすべきテイクは、Ｓｃｅｎｅ−０３で直前に記録したテイク中段の図の例では、同じＳｃｅｎｅ−０３のテイクがあったため（Ｔａｋｅ２）、レックレビューの対象はＴａｋｅ２になっている。
【００４７】
仮に、Ｔａｋｅ２を削除するなどした場合のレックレビューの動作を表すのが、図５（２）の下段である。この場合、Ｓｃｅｎｅ−３のテイクが他になくなってしまったため、Ｓｃｅｎｅ−０３の一つ前のシーンであるＳｃｅｎｅ−０２の最終テイクが、次のレックレビュー対象となる。その結果、Ｔａｋｅ３が該当するため、この例においてはＴａｋｅ３がレックレビューされる。
【００４８】
図６は、本実施例における動作のフローを表す図であり、システム制御部（１０９）のプログラムにより処理される。
【００４９】
操作部１１０からの指示によりレックレビュー要求があると（Ｓ４０１）、シナリオモードとして現在選択されているシーンを取得する（Ｓ４０２）。シーンが選ばれていない場合、すなわち通常モードになっているか、シナリオモードでシーンを選択していない状態のときは、シーンがないことを表すデータが取得される。次に、レックレビューの対象となるテイクの初期値として、レックレビューを実行する直前に記録したテイクを指定する（Ｓ４０３）。シナリオモードでシーンが選択されている場合を除いて、この時点で再生の対象となっているテイクが、レックレビューの対象テイクであり、再生される（Ｓ４１０）。一方、シナリオモードでシーンが選択されている場合は（Ｓ４０４）、再生の対象になっているテイクが、再生対象のシーンと一致するかどうかを確認し（Ｓ４０５）、一致すれば対象のテイクを再生する（Ｓ４１０）。一致しない場合は、ひとつ前の番号のテイクを再生の対象として設定し（Ｓ４０６）、そのテイクを検索する。（Ｓ４０７）そのテイクがあった場合は、再生対象のシーンであるか、再び確認する（Ｓ４０５）。全てのテイクを検索した後は、同一シーン内にレックレビュー対象のテイクが存在しなかったと判断し、ひとつ前のシーンを検索対象として選択する（Ｓ４０８）。対象となるシーンが存在する場合は（Ｓ４０９）は、再び全てのテイクに対して一致するテイクを検索し（Ｓ４０３〜Ｓ４０９）、対象があれば再生する（Ｓ４１０）。もし、全てのシーン、全てのテイクに対する判定の結果として、再生するテイクが見つからなかった場合は（Ｓ４０９）、レックレビューは処理されずに終了する。レックレビューで表示する対象のテイクが無い場合には、「表示するテイクは有りません」等のエラー通知を行うとより親切であろう。
【００５０】
なお、本実施例では、同一シーンにテイクが存在しない場合は、シナリオの順番で直前にあるシーンまで遡って再生対象のテイクを検索するようにしたが、同一シーンのテイクに限定しても良い。また、異なるシーンのテイクを再生する場合は、ユーザに通知をして注意を促しすと、さらに有用であろう。
【００５１】
＜第２の実施形態＞
第２の実施形態は、シナリオモードのレックレビューの動作の例に関するものであり、選択しているシーンを基準にして、前後に再生される見込みのテイクをレックレビューすることを特徴としている。
【００５２】
図７は、本実施例の動作を表すものである。
【００５３】
図７（１）は、シナリオモードでＴａｋｅ１からＴａｋｅ４まで記録し、Ｔａｋｅ５を記録するためにシーンの設定としてＳｃｅｎｅ−０２を選択して待機している状態を表している。
【００５４】
図７（２）が、本実施例におけるレックレビューの動作を表した図である。これから記録するＴａｋｅ５がＳｃｅｎｅ−０２であるため、再生したときにＴａｋｅ５の直前に再生されるのは同じＳｃｅｎｅ０２の最終テイク、すなわちＴａｋｅ３である。また、再生したときにＴａｋｅ５の直後に再生されるのは、次のシーンの先頭シーン、すなわちＴａｋｅ２である。そのため、ここでレックレビューを実行すると、Ｔａｋｅ３、Ｔａｋｅ２の順にテイクが再生される。
【００５５】
図８は、本実施例を実現するための動作を表すフローチャートであり、システム制御部（１０９）のプログラムにより処理される。
【００５６】
ここでは、記録を行うために待機しているときに設定しているシーンを基準にして、レックレビューを実行したときに最初に再生されるテイクを再生テイク１、その次に再生されるテイクを再生テイク２として、再生を実行するまでの流れを説明する。
【００５７】
再生テイク１を決めるまでの流れ（Ｓ５０１からＳ５０９）は、図６のＳ４０１からＳ４０９までと同じであるため、そこに至るまでの処理の説明は省略する。この処理を行った結果として、対象となるテイクが見つからなかった場合は再生テイクなしとし（Ｓ５１０）、見つかった場合はそのテイクを再生テイク１とする（Ｓ５１１）。
【００５８】
次に、再生テイク２を決めるまでの流れを説明する。再生テイク２は、少なくとも今から撮影するシーンよりも後に再生されるシーンに属するテイクである。そのため、最初に検索を行う対象シーンの初期値を、次のシーンに設定する（Ｓ５１２）。
【００５９】
なお、この次のシーンとは、シナリオ内で順番付けられていシーン番号の順番に従うものである。また、再生する対象となるテイクの初期値は１として検索を開始する（Ｓ５１３）。再生テイクが対象のシーンに属するテイクであれば（Ｓ５１４）、現在の再生テイクが再生テイク２となる（Ｓ５１８）。再生テイクが対象のシーンに属していなければ（Ｓ５１４）、現在の再生テイクよりも時系列的に後に記録されたテイクに対して検索を行い（Ｓ５１５、Ｓ５１６）、対象とシーンのテイクが見つかれば再生テイク２を決定する（Ｓ５１４、Ｓ５２０）。見つからないまま最終テイクまで検索が進んだ場合は、対象となるシーンが最終シーンでなければ（Ｓ５１７）、次のシーンを対象シーンに設定して（Ｓ５１８）、再び検索を行う。対象となるシーンが最終シーンだった場合は、対象となるテイクが見つからなかったことになるため、再生テイク２は該当なしとなる（Ｓ５１９）。
【００６０】
その後、テイク１があればテイク１を再生し（Ｓ５２１）、続いてテイク２があればテイク２を再生する（Ｓ５２２）ことで、レックレビューは実行される。
【００６１】
なお、本実施例では、同一シーンにテイクが存在しない場合は、シナリオの順番で直前にあるシーンまで遡って再生テイク１を検索するようにしたが、同一シーンのテイクに限定しても良い。同様に、シナリオの順番で直後にあるシーンに再生対象のテイクがない場合は、さらにそれ以降のシーンまで検索するようにしたが、直後にあるシーンのテイクに検索を限定しても良い。また、再生する映像（テイク）に関連付けられているシーン名またはシーン番号を、ユーザに通知しても良い。
【００６２】
＜第３の実施形態＞
第３の実施形態は、記録した映像の再生レートに従って再生するテイクを決定するデジタルビデオカメラにおける、シナリオモード時のレックレビューの動作の例である。
【００６３】
初めに、再生レートについて説明する。再生レートとは、再生するテイクのランク情報（レーティングとも呼ぶ）である。テイクに付けた再生レートと、デジタルビデオカメラ本体の再生動作の基準となる再生レート設定を比較し、同じかそれ以上の再生レートのテイクだけが再生されるようになる。本実施例では、最も低い０から、最も高い３までの４つのレートに分けて設定できるものとする（再生レート＝０、１、２、３）。例えば、デジタルビデオカメラの再生レート設定を２に設定した場合は、再生レートが２以上のテイクしか再生しない。設定が３であれば３以上のテイクが、１であれば１以上のテイクが、０であれば全てのテイクが再生対象となる。
【００６４】
テイクへの再生レート設定と、デジタルビデオカメラの再生レート設定の操作画面の例を図９に示す。
【００６５】
図９（１）は、デジタルビデオカメラの再生基準となる、再生レートの指定画面の一例である。ここで指定した再生レート以上のランク情報が付与されている映像（テイク）が再生対象となる。
【００６６】
図９（２）は、テイクに対して再生レートを指定する画面の一例である。カメラモードでテイクを記録した直後、もしくは再生モードでメニュー画面から再生レートの指定を行う。
【００６７】
図１０は、再生レートが設定されている場合の再生、及びレックレビューの動作例である。
【００６８】
図１０（１）は、Ｔａｋｅ１からＴａｋｅ４まで記録した状態を表しており、ここでは同一のシーンのＴａｋｅである。テイクの再生レートは、Ｔａｋｅ１はレート２、Ｔａｋｅ２はレート３、Ｔａｋｅ３はレート１、Ｔａｋｅ４はレート０としている。この状態で、デジタルビデオカメラの再生レート設定を２以上に設定し、再生したときの様子を表しているのが図１０（２）である。再生レートが２以上である、Ｔａｋｅ１とＴａｋｅ２が再生され、２未満であるＴａｋｅ３とＴａｋｅ４は再生されない。
【００６９】
同じ条件下で、Ｔａｋｅ５の記録待機中にレックレビューを実行すると、図１０（３）にあるように、Ｔａｋｅ２がレックレビュー対象として再生される。Ｔａｋｅ３とＴａｋｅ４がレックレビュー対象とならないのは、図１０（２）でそれらが再生されないのと同じ理由である。
【００７０】
図１１は、実施例３の動作のフローを表すフローチャートであり、システム制御部（１０９）のプログラムにより処理される。本フローチャートでは、シーンと再生レートとの関係から、レックレビューを実行するまでの処理を表している。
【００７１】
操作部（１１０）からの指示によりレックレビュー要求があると（Ｓ６０１）、シナリオモードとして現在選択されているシーンを取得する（Ｓ６０２）。シーンが選ばれていない場合、すなわち通常モードになっているか、シナリオモードでシーンを選択していない状態のときは、シーンがないことを表すデータが取得される。次に、時系列的に最後に記録したテイクを、再生対象のテイクの初期値として選ぶ（Ｓ６０３）。次のシーンが選択されていない場合は、再生対象のテイクの再生レートを取得し（Ｓ６１０）、本実施例のデジタルビデオカメラの再生時の基準を表す再生レート設定を取得し（Ｓ６１１）、その両者を比較する（Ｓ６１２）。再生するテイクの再生レートが、再生テイク設定以上であれば（Ｓ６１２）、対象のテイクを再生する（Ｓ６１３）。逆に、テイクの再生レートが再生する条件を下回る場合は、再生テイクの再検索に進む（Ｓ６０６）。
【００７２】
次に、シナリオモードのシーンが選択されている場合は（Ｓ６０４）、再生の対象になっているテイクが、再生対象のシーンと一致するかどうかを確認し（Ｓ６０５）、一致すれば対象のテイクの再生レートをチェックする（Ｓ６１０〜Ｓ６１２）。再生対象のシーンと一致しない場合は（Ｓ６０５）、ひとつ前の番号のテイクを再生対象に設定し（Ｓ６０６）、有効な範囲にあるテイクであれば（Ｓ４０７）、再生テイクの再確認を行う（Ｓ６０５）。シーン内の全てのテイクを確認しても再生すべきテイクが見つからない場合は、検索を行うシーンをひとつ前のシーンに変更し（Ｓ６０８）、有効なシーンであれば検索を再開する（Ｓ６０５）。全てのシーンの全てのテイクの確認が終了し、その結果として再生すべきテイクがない場合は（Ｓ４０９）、レックレビューは処理されずに終了する。
【００７３】
なお、本実施例では、同一シーンにテイクが存在しない場合は、シナリオの順番で直前にあるシーンまで遡って再生対象のテイクを検索するようにしたが、同一シーンのテイクに限定しても良い。また再生する映像（テイク）に関連付けられているシーン名またはシーン番号を、ユーザに通知しても良い。
【００７４】
以上、本発明をその好適な実施形態に基づいて詳述してきたが、本発明はこれら特定の実施形態に限られるものではなく、この発明の要旨を逸脱しない範囲の様々な形態も本発明に含まれる。上述の実施形態の一部を適宜組み合わせてもよい。
【００７５】
また、上述の実施形態の機能を実現するソフトウェアのプログラムを、記録媒体から直接、或いは有線／無線通信を用いてプログラムを実行可能なコンピュータを有するシステム又は装置に供給し、そのプログラムを実行する場合も本発明に含む。
【００７６】
従って、本発明の機能処理をコンピュータで実現するために、該コンピュータに供給、インストールされるプログラムコード自体も本発明を実現するものである。つまり、本発明の機能処理を実現するためのコンピュータプログラム自体も本発明に含まれる。
【００７７】
その場合、プログラムの機能を有していれば、オブジェクトコード、インタプリタにより実行されるプログラム、ＯＳに供給するスクリプトデータ等、プログラムの形態を問わない。
【００７８】
プログラムを供給するための記録媒体としては、例えば、ハードディスク、磁気テープ等の磁気記録媒体、光／光磁気記憶媒体、不揮発性の半導体メモリでもよい。
【００７９】
また、プログラムの供給方法としては、コンピュータネットワーク上のサーバに本発明を形成するコンピュータプログラムを記憶し、接続のあったクライアントコンピュータはがコンピュータプログラムをダウンロードしてプログラムするような方法も考えられる。
【図１】
2015109510.tif 000003
【図２】
2015109510.tif 000004
【図３】
2015109510.tif 000005
【図４】
2015109510.tif 000006
【図５】
2015109510.tif 000007
【図６】
2015109510.tif 000008
【図７】
2015109510.tif 000009
【図８】
2015109510.tif 000010
【図９】
2015109510.tif 000011
【図１０】
2015109510.tif 000012
【図１１】
2015109510.tif 000013